(57)【特許請求の範囲】
【請求項１】
一体化された突き当て部、及び開口部から前記突き当て部へ向けて狭くなる抜き勾配を持つ穴を有する第１筐体と、
前記第１筐体の前記穴の開口部に面する位置に孔を有する第２筐体と、
前記第１筐体の前記穴に一端が挿入され、前記第２筐体の前記孔に他端が挿入され、前記第１筐体と前記第２筐体とが前記穴と前記孔の軸を中心として相対的に回動するときにクリック音を発生させるヒンジユニットと、
前記ヒンジユニットの一端を前記第１筐体の前記穴の突き当て部に押し付けるように前記ヒンジユニットの他端に力を与えて前記ヒンジユニットと前記第１筐体との相対位置を一定とし、前記第１筐体が有する前記穴の抜き勾配と前記ヒンジユニットとで形成されるクリアランスを一定に保つ力付与手段と、
を備えるヒンジ部構造。
【請求項２】
前記ヒンジユニットと同軸であり、前記ヒンジユニットが挿入されている前記第２筐体の前記孔の開口端と反対側の開口端に一端が挿入されるダミーヒンジをさらに備え、
前記第１筐体は、前記ダミーヒンジの他端が挿入される他の穴を有することを特徴とする請求項１に記載のヒンジ部構造。
【請求項３】
前記力付与手段は、前記ダミーヒンジの他端を前記他の穴へ押すように前記ダミーヒンジの一端に力を与えることを特徴とする請求項２に記載のヒンジ部構造。
【請求項４】
前記力付与手段は、圧縮コイルバネであることを特徴とする請求項１から３のいずれかに記載のヒンジ部構造。
【請求項５】
前記力付与手段は、板バネであることを特徴とする請求項１から３のいずれかに記載のヒンジ部構造。
【請求項６】
請求項１から５のいずれかに記載のヒンジ部構造を備える携帯端末装置。
【発明の詳細な説明】
【技術分野】
【０００１】
本発明は、２つの筐体を結合するヒンジ部の構造及びそれを備える携帯端末装置に関する。
【背景技術】
【０００２】
携帯端末装置を開閉動作させた際に開いたとき、又は閉じたときにクリック音が鳴るヒンジ構造が知られている（例えば、特許文献１及び２を参照。）。図１は筐体１１と筐体１２とを開閉できる携帯端末装置を説明する図である。図１（Ａ）は携帯端末装置を開いた状態を説明する上面図である。ヒンジユニット２３及びダミーヒンジ２１は筐体内部に配置されるので、破線で示している。図１（Ｂ）は携帯端末装置を開いた状態を説明する側面図である。図３は、図１（Ａ）のＡ−Ａ’線の断面を説明する図である。図６及び図７は、図１（Ａ）のＢ−Ｂ’線の断面を説明する図である。また、図４は、図６及び図７のヒンジユニット２３部分を拡大した図である。
【０００３】
クリック音は、図３のようにヒンジユニット２３と筐体１１又は筐体１２のクリアランスＭにより発生させている。クリアランスＭが大きいとクリック音は大きくなり、クリアランスＭが小さいとクリック音が小さくなる。ここで、クリアランスＭが大きすぎるとクリック音が騒音となり商品性が劣る上、筐体１１と筐体１２のガタツキが大きくなる。一方、クリアランスＭが小さすぎるとクリック音が小さくユーザの使用感に不満が発生する。このようにクリアランスＭには高い精度が求められている。
【０００４】
筐体１１及び筐体１２は、図４のようにヒンジユニット２３を挿入する挿入部分１５に製作上の抜き勾配と呼ばれる傾斜が設けられている。クリアランスＭは、この抜き勾配とヒンジユニット２３とで形成される隙間である。このため、クリアランスＭは挿入部分１５内にあるヒンジユニット２３の位置で変化することになる。図４（Ａ）はヒンジユニット２３が挿入部分１５の最も筐体１１寄りへ配置されたときの図であり、図４（Ｂ）はヒンジユニット２３が挿入部分１５の最も筐体１２寄りへ配置されたときの図である。
【０００５】
挿入部分１５内のヒンジユニット２３の位置は、例えば、図６の部品２７や図７の突起物２８で決定されている。ところが、筐体１１、筐体１２、ダミーヒンジ２１、ヒンジユニット２３、部品２７、及び突起物２８を組み立てるためにクリアランスＮが必要であり、クリアランスＮが一定であったとしてもヒンジユニット２３の位置はクリアランスＮ分だけばらつきが発生する。さらに、これらはそれぞれ製造誤差を持っており、クリアランスＮ自体も携帯端末装置毎に変化する。このため、挿入部分１５内のヒンジユニット２３の位置のばらつき、すなわちクリアランスＭのばらつきが大きかった。
【０００６】
そこで、挿入部分１５内のヒンジユニット２３の位置を調整可能とした折り畳み式携帯情報端末の一例が特許文献３に記載されている。特許文献３の折り畳み式携帯情報端末は、ヒンジユニットを第１筐体又は第２筐体のいずれか一方の側から他方の側へ押す押圧部材と、ヒンジユニットの回転軸方向の複数の位置に切替可能に構成され、押圧部材で押されたヒンジユニットの端部とは反対側を受け止めるレバーとを備える。特許文献３の折り畳み式携帯情報端末は、レバーの位置でヒンジユニットの位置を調整でき、クリアランスＭを調整することができる。
【先行技術文献】
【特許文献】
【０００７】
【特許文献１】特開２００８−２４８９８５号公報
【特許文献２】特開２００９−０４３００１号公報
【特許文献３】特願２００８−２２９５７２号
【発明の概要】
【発明が解決しようとする課題】
【０００８】
特許文献３の折り畳み式携帯情報端末は、端末毎にレバーでクリアランスＭを調整することでクリック音量を調整することができる。しかし、特許文献３の折り畳み式携帯情報端末は、図６や図７の携帯端末装置より部品が多くなるため、クリアランスＮ自体のばらつきがより大きくなる。さらに構造が複雑であるため、製造工程が増加し、クリック音量の調整工程も必要であるため、製造コストが大きくなる。
【０００９】
そこで、本発明は、上述した課題であるシンプルな構造でクリック音量を所定の規格内に収め、クリック音量の調整工程を不要として製造コストを低減できるヒンジ部構造及び携帯端末装置を提供することを目的とする。
【課題を解決するための手段】
【００１０】
本発明に係るヒンジ部構造は、一体化された突き当て部を持ち、開口部から前記突き当て部へ向けて狭くなるように形成された穴を有する第１筐体と、前記第１筐体の前記穴の開口部に面する位置に孔を有する第２筐体と、前記第１筐体の前記穴に一端が挿入され、前記第２筐体の前記孔に他端が挿入され、前記第１筐体と前記第２筐体とが前記穴と前記孔の軸を中心として相対的に回動するときにクリック音を発生させるヒンジユニットと、前記ヒンジユニットの一端を前記第１筐体の前記穴の突き当て部に押し付けるように前記ヒンジユニットの他端に力を与える力付与手段と、を備える。
【００１１】
また、本発明に係る携帯端末装置は、前記ヒンジ部構造を備える。
【発明の効果】
【００１２】
本発明は、シンプルな構造でクリック音量を所定の規格内に収め、クリック音量の調整工程を不要として製造コストを低減できるヒンジ部構造及び携帯端末装置を提供することができる。
【図面の簡単な説明】
【００１３】
【図１】２つの筐体を開閉できる携帯端末装置を説明する図である。図１（Ａ）は携帯端末装置を開いた状態を説明する上面図である。図１（Ｂ）は携帯端末装置を開いた状態を説明する側面図である。
【図２】本発明に係るヒンジ部構造を説明する図である。
【図３】図１（Ａ）のＡ−Ａ’線の断面を説明する図である。
【図４】ヒンジユニット部分を拡大した図である。
【図５】本発明に係るヒンジ部構造を説明する図である。
【図６】図１（Ａ）のＢ−Ｂ’線の断面を説明する図である。
【図７】図１（Ａ）のＢ−Ｂ’線の断面を説明する図である。
【発明を実施するための形態】
【００１４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１５】
図２は、本実施形態のヒンジ部構造を説明するため、図１の携帯端末装置のヒンジ部をＢ−Ｂ’線で切断した断面図である。本実施形態のヒンジ部構造は、一体化された突き当て部３１を持ち、開口部３２から突き当て部３１へ向けて狭くなるように形成された穴３３を有する第１筐体１１と、第１筐体１１の穴３３の開口部３２に面する位置に孔３４を有する第２筐体１２と、第１筐体１１の穴３３に一端が挿入され、第２筐体１２の孔３４に他端が挿入され、第１筐体１１と第２筐体１２とが穴３３と孔３４の軸を中心として相対的に回動するときにクリック音を発生させるヒンジユニット２３と、ヒンジユニット２３の一端を第１筐体１１の穴３３の突き当て部３１に押し付けるようにヒンジユニット２３の他端に力を与える力付与手段３５と、を備える。
【００１６】
携帯端末装置は、第１筐体１１と第２筐体１２とを折り畳める構造の電化製品である。例えば、携帯端末装置は、携帯電話機、ＰＨＳ（ｐｅｒｓｏｎａｌ  ｈａｎｄｙｐｈｏｎｅ  ｓｙｓｔｅｍ）、携帯情報端末、家庭用電化製品、又は産業用電化製品である。
【００１７】
穴３３は第１筐体１１に形成される。穴３３は開口部３２から所定の深さの位置に突き当て部３１を持つ。例えば、突き当て部３１は穴３３の内壁に形成された突起とすることができる。また、穴３３が図２や図５のように開口面積が急激に変化する２段構造である場合、突き当て部３１は段部分とすることができる。さらに、穴３３が突起や段を持たない場合、突き当て部３１は穴３３の底部とすることができる。なお、いずれの場合であっても、穴３３は、開口部３２から突き当て部３１に至るまで抜き勾配があり、開口面積が徐々に小さくなっている。
【００１８】
なお、穴３３の形状は次のように使い分けることができる。例えば、図２及び図５のように、ヒンジユニット２３の軸部分が突出している場合がある。このような場合、突き当て部３１は、軸部分が穴３３の底部に当たらないように、穴３３の内壁に形成された突起とするか、２段構造の穴３３の段部とする。ヒンジユニット２３の軸部分が突出していない場合あるいは軸部分を穴３３の底部に当ててよい場合、突き当て部３１は穴３３の底部とする。
【００１９】
孔３４は第１筐体１１と第２筐体１２を組み立てたときに穴３３と同軸となるように第２筐体１２に形成される。孔３４も穴３３と同様に、開口端３４ａから穴３３と反対方向に抜き勾配があり、開口面積が徐々に小さくなっている。
【００２０】
穴３３及び孔３４で挿入部１５となる。ヒンジユニット２３は一端が孔３３側、他端が孔３４側になるように挿入部１５に挿入される。ヒンジユニット２３は、図１のように、第１筐体１１と第２筐体１２を連結する目的及び携帯端末装置を開閉動作をさせる目的を持つ。
【００２１】
力付与手段３５は孔３４内に配置される。力付与手段３５は、ヒンジユニット２３の他端を軸方向に押し、ヒンジユニット２３の一端を突き当て部３１に押し付けることができる。例えば、力付与手段３５は、図２のように圧縮コイルバネとすることができる。また、力付与手段３５は、図５のように板バネとすることができる。力付与手段３５はヒンジユニット２３の一端を突き当て部３１に押し付けるようにヒンジユニット２３の他端に力を与えるものであれば、図２の圧縮コイルバネや図５の板バネに限らない。
【００２２】
力付与手段３５がヒンジユニット２３の他端を軸方向に押すことで、いずれのヒンジ部構造でもヒンジユニット２３は一端が突き当て部３１に当たることになる。このため、本実施形態のヒンジ構造は、図４で説明したクリアランスＮによるヒンジユニット２３の配置位置のばらつきを生じない。すなわち、本実施形態のヒンジ構造は、ヒンジユニット２３の挿入部１５への実装位置を一定にしてクリアランスＭを一定に保つことができるため、クリック音量のばらつきを少なくし、所定のクリック音量の規格内に収めることができる。
【００２３】
本実施形態のヒンジ構造は、ヒンジユニット２３を力付与手段３５で突き当て部３１に押し付けるだけであり、構造が簡易である。さらに、本実施形態のヒンジ構造は、特許文献３に記載されるようなクリック音量の調整が不要である。従って、本実施形態のヒンジ部構造及び携帯端末装置は、シンプルな構造でクリック音量を所定の規格内に収め、クリック音量の調整工程を不要として製造コストを低減することができる。
【００２４】
以上は、本発明に係るヒンジ部構造の最小構成で本発明の目的が達成できることを説明したものである。次に、本発明に係るヒンジ部構造の好ましい形態を説明する。
【００２５】
本実施形態のヒンジ部構造は、ヒンジユニット２３と同軸であり、ヒンジユニット２３が挿入されている第２筐体１２の孔３４の開口端３４ａと反対側の開口端３４ｂに一端が挿入されるダミーヒンジ２１をさらに備えることが好ましい。この場合、第１筐体１１は、ダミーヒンジ２１の他端が挿入される他の穴３６を有する。穴３６は、穴３３と同軸で向かい合うように第１筐体１１に形成される。
【００２６】
ダミーヒンジ２１は一端が穴３６側、他端が孔３４側になるように挿入される。ダミーヒンジ２１は、図１のように、第１筐体１１と第２筐体１２を連結する目的及び携帯端末装置を開閉動作をさせる目的を持つ。ヒンジユニット２３とダミーヒンジ２１とを併用することでヒンジ部構造の耐久性を向上させることができる。また、ダミーヒンジ２１は第１筐体１１と第２筐体１２との間の配線を通すことができる。
【００２７】
力付与手段３５は、ダミーヒンジ２１の他端を穴３６へ押すようにダミーヒンジ２１の一端に力を与える。図２の圧縮コイルバネならば、一端がヒンジユニット２３に接触し、他端がダミーヒンジ２１に接触している。図５の板バネならば、作用点５１がヒンジユニット２３に接触し、背面５２がスペーサ５３に接触している。スペーサ５３はダミーヒンジ２１との隙間に配置されるものであり、背面５２が与える力をダミーヒンジ２１に伝えることができる。力付与手段３５はダミーヒンジ２１の位置のばらつきも抑えることができる。
【符号の説明】
【００２８】
１１：筐体（第１筐体）
１２：筐体（第２筐体）
１５：挿入部
２１：ダミーヒンジ
２３：ヒンジユニット
２７：部品
２８：突起物
３１：突き当て部
３２：開口部
３３：穴
３４：孔
３４ａ、３４ｂ：開口端
３５：力付与手段
３６：穴
５１：作用点
５２：背面
５３：スペーサ
【図１】
0005471345.tif 000002
【図２】
0005471345.tif 000003
【図３】
0005471345.tif 000004
【図４】
0005471345.tif 000005
【図５】
0005471345.tif 000006
【図６】
0005471345.tif 000007
【図７】
0005471345.tif 000008